(57)【特許請求の範囲】
【請求項１】
物体側から順に、負の屈折力を有する第１レンズ群と、正の屈折力を有する第２レンズ群と、正の屈折力を有する第３レンズ群との実質的に３個のレンズ群からなり、
前記第１レンズ群は、負レンズのみからなり、
前記第２レンズ群を像面側に移動させることにより無限遠物点から近距離物点への合焦を行い、
無限遠物点から近距離物点への合焦時に、隣接するレンズ群どうしの間隔が変化し、
以下の条件を満足することを特徴とする広角レンズ。
４．５０  ＜  Ｆ２／Ｆ０  ＜  １４．００
ただし、
Ｆ２：無限遠合焦時における前記第２レンズ群の焦点距離
Ｆ０：無限遠合焦時における前記広角レンズの全系の焦点距離
【請求項２】
物体側から順に、負の屈折力を有する第１レンズ群と、正の屈折力を有する第２レンズ群と、正の屈折力を有する第３レンズ群との実質的に３個のレンズ群からなり、
前記第２レンズ群は、正レンズと負レンズと正レンズとの接合よりなる接合レンズを有し、
前記第２レンズ群を像面側に移動させることにより無限遠物点から近距離物点への合焦を行い、
無限遠物点から近距離物点への合焦時に、隣接するレンズ群どうしの間隔が変化し、
以下の条件を満足することを特徴とする広角レンズ。
４．５０  ＜  Ｆ２／Ｆ０  ＜  １５．００
ただし、
Ｆ２：無限遠合焦時における前記第２レンズ群の焦点距離
Ｆ０：無限遠合焦時における前記広角レンズの全系の焦点距離
【請求項３】
物体側から順に、負の屈折力を有する第１レンズ群と、正の屈折力を有する第２レンズ群と、正の屈折力を有する第３レンズ群との実質的に３個のレンズ群からなり、
前記第２レンズ群は、正レンズと負レンズと正レンズとの接合よりなる接合レンズを有し、
前記第２レンズ群を像面側に移動させることにより無限遠物点から近距離物点への合焦を行い、
無限遠物点から近距離物点への合焦時に、隣接するレンズ群どうしの間隔が変化し、
以下の条件を満足することを特徴とする広角レンズ。
−１．００  ＜  （Ｒｒ＋Ｒｆ）  ／  （Ｒｒ−Ｒｆ）  ＜  ０．００
ただし、
Ｒｒ：前記接合レンズ中の前記負レンズの像側レンズ面の曲率半径
Ｒｆ：前記接合レンズ中の前記負レンズの物体側レンズ面の曲率半径
【請求項４】
以下の条件を満足することを特徴とする請求項２に記載の広角レンズ。
−１．００  ＜  （Ｒｒ＋Ｒｆ）  ／  （Ｒｒ−Ｒｆ）  ＜  ０．００
ただし、
Ｒｒ：前記接合レンズ中の前記負レンズの像側レンズ面の曲率半径
Ｒｆ：前記接合レンズ中の前記負レンズの物体側レンズ面の曲率半径
【請求項５】
前記第１レンズ群は、負レンズのみからなることを特徴とする請求項２または３に記載の広角レンズ。
【請求項６】
以下の条件を満足することを特徴とする請求項１から５のいずれか一項に記載の広角レンズ。
１．０５  ＜  Ｍ２  ＜  ５．００
ただし、
Ｍ２：無限遠合焦時における前記第２レンズ群の横倍率
【請求項７】
以下の条件を満足することを特徴とする請求項１から６のいずれか一項に記載の広角レンズ。
０．２０  ＜  （−Ｆ１）  ／  Ｆ０  ＜  ３．００
ただし、
Ｆ１：無限遠合焦時における前記第１レンズ群の焦点距離
Ｆ０：無限遠合焦時における前記広角レンズの焦点距離
【請求項８】
以下の条件を満足することを特徴とする請求項１から７のいずれか一項に記載の広角レンズ。
１．００  ＜  Ｆ３／Ｆ０  ＜  １０．００
ただし、
Ｆ３：無限遠合焦時における前記第３レンズ群の焦点距離
Ｆ０：無限遠合焦時における前記広角レンズの焦点距離
【請求項９】
無限遠物点から近距離物点への合焦時に、前記第３レンズ群は固定されていることを特徴とする請求項１から８のいずれか一項に記載の広角レンズ。
【請求項１０】
無限遠物点から近距離物点への合焦時に、前記第１レンズ群は固定されていることを特徴とする請求項１から９のいずれか一項に記載の広角レンズ。
【請求項１１】
前記第１レンズ群は少なくとも１枚の非球面負メニスカスレンズを有し、当該非球面負メニスカスレンズは、レンズ中心部から周辺部に向かうにつれて負の屈折力が小さくなる形状を有することを特徴とする請求項１から１０のいずれか一項に記載の広角レンズ。
【請求項１２】
以下の条件を満足することを特徴とする請求項１１に記載の広角レンズ。
０．３０  ＜  ｜Ｒａｓｐ｜  ／  ｈａｓｐ  ＜  ０．９０
ただし、
Ｒａｓｐ：前記形状を有する前記非球面負メニスカスレンズの非球面の近軸曲率半径
ｈａｓｐ：前記形状を有する前記非球面負メニスカスレンズの有効径の１／２（最大有効半径）
【請求項１３】
前記第１レンズ群は、前記非球面負メニスカスレンズとは別に非球面レンズを有することを特徴とする請求項１１または１２に記載の広角レンズ。
【請求項１４】
前記非球面レンズは、レンズ中心部よりも周辺部において負の屈折力が大きいことを特徴とする請求項１３に記載の広角レンズ。
【請求項１５】
請求項１から１４のいずれか一項に記載の広角レンズを備えたことを特徴とする撮像装置。
【請求項１６】
第２レンズ群を像面側に移動させることにより無限遠物点から近距離物点への合焦を行うように、物体側から順に、負の屈折力を有する第１レンズ群と、正の屈折力を有する第２レンズ群と、正の屈折力を有する第３レンズ群との実質的に３個のレンズ群からなるようにし、
前記第１レンズ群を負レンズのみからなるようにし、
無限遠物点から近距離物点への合焦時に、隣接するレンズ群どうしの間隔が変化するようにし、
以下の条件を満足するようにすることを特徴とする広角レンズの製造方法。
４．５０  ＜  Ｆ２／Ｆ０  ＜  １４．００
ただし、
Ｆ２：無限遠合焦時における前記第２レンズ群の焦点距離
Ｆ０：無限遠合焦時における前記広角レンズの全系の焦点距離
【発明の詳細な説明】
【技術分野】
【０００１】
本発明は、撮影光学系に最適な広角レンズ、撮像装置、および広角レンズの製造方法に関する。
【背景技術】
【０００２】
従来、カメラに使用されるリアフォーカス式のレトロフォーカス型広角レンズ（以後、本明細書中では単に「広角レンズ」と記す。）が提案されている（例えば、特許文献１）。
【先行技術文献】
【特許文献】
【０００３】
【特許文献１】特開２００１−１５９７３２号公報
【発明の概要】
【発明が解決しようとする課題】
【０００４】
しかしながら、従来の広角レンズは、さらに大画角化を実現しリアフォーカス方式の合焦方式をとろうとすると、高い結像性能を維持することが難しいという問題があった。
【課題を解決するための手段】
【０００５】
上記課題を解決するため、本発明は、
物体側から順に、負の屈折力を有する第１レンズ群と、正の屈折力を有する第２レンズ群と、正の屈折力を有する第３レンズ群との実質的に３個のレンズ群からなり、
前記第１レンズ群は、負レンズのみからなり、
前記第２レンズ群を像面側に移動させることにより無限遠物点から近距離物点への合焦を行い、
無限遠物点から近距離物点への合焦時に、隣接するレンズ群どうしの間隔が変化し、
以下の条件を満足することを特徴とする広角レンズを提供する。
４．５０  ＜  Ｆ２／Ｆ０  ＜  １４．００
ただし、
Ｆ２：無限遠合焦時における前記第２レンズ群の焦点距離
Ｆ０：無限遠合焦時における前記広角レンズの全系の焦点距離
また、本発明は、
物体側から順に、負の屈折力を有する第１レンズ群と、正の屈折力を有する第２レンズ群と、正の屈折力を有する第３レンズ群との実質的に３個のレンズ群からなり、
前記第２レンズ群は、正レンズと負レンズと正レンズとの接合よりなる接合レンズを有し、
前記第２レンズ群を像面側に移動させることにより無限遠物点から近距離物点への合焦を行い、
無限遠物点から近距離物点への合焦時に、隣接するレンズ群どうしの間隔が変化し、
以下の条件を満足することを特徴とする広角レンズを提供する。
４．５０  ＜  Ｆ２／Ｆ０  ＜  １５．００
ただし、
Ｆ２：無限遠合焦時における前記第２レンズ群の焦点距離
Ｆ０：無限遠合焦時における前記広角レンズの全系の焦点距離
また、本発明は、
物体側から順に、負の屈折力を有する第１レンズ群と、正の屈折力を有する第２レンズ群と、正の屈折力を有する第３レンズ群との実質的に３個のレンズ群からなり、
前記第２レンズ群は、正レンズと負レンズと正レンズとの接合よりなる接合レンズを有し、
前記第２レンズ群を像面側に移動させることにより無限遠物点から近距離物点への合焦を行い、
無限遠物点から近距離物点への合焦時に、隣接するレンズ群どうしの間隔が変化し、
以下の条件を満足することを特徴とする広角レンズを提供する。
−１．００  ＜  （Ｒｒ＋Ｒｆ）  ／  （Ｒｒ−Ｒｆ）  ＜  ０．００
ただし、
Ｒｒ：前記接合レンズ中の前記負レンズの像側レンズ面の曲率半径
Ｒｆ：前記接合レンズ中の前記負レンズの物体側レンズ面の曲率半径
【０００６】
また、本発明は、前記広角レンズを備えたことを特徴とする撮像装置を提供する。
【０００７】
また、本発明は、
第２レンズ群を像面側に移動させることにより無限遠物点から近距離物点への合焦を行うように、物体側から順に、負の屈折力を有する第１レンズ群と、正の屈折力を有する第２レンズ群と、正の屈折力を有する第３レンズ群との実質的に３個のレンズ群からなるようにし、
前記第１レンズ群を負レンズのみからなるようにし、
無限遠物点から近距離物点への合焦時に、隣接するレンズ群どうしの間隔が変化するようにし、
以下の条件を満足するようにすることを特徴とする広角レンズの製造方法を提供する。
４．５０  ＜  Ｆ２／Ｆ０  ＜  １４．００
ただし、
Ｆ２：無限遠合焦時における前記第２レンズ群の焦点距離
Ｆ０：無限遠合焦時における前記広角レンズの全系の焦点距離
【発明の効果】
【０００８】
本発明によれば、大画角でありながら高い結像性能を有するリアフォーカス型広角レンズと、これを有する撮像装置と、リアフォーカス型広角レンズの製造方法を提供することができる。
【図面の簡単な説明】
【０００９】
【図１】第１実施例に係る広角レンズの無限遠合焦状態におけるレンズ構成を示す断面図である。
【図２】（ａ）、（ｂ）はそれぞれ、第１実施例に係る広角レンズの無限遠合焦状態、近距離合焦状態における諸収差を示す図である。
【図３】第２実施例に係る広角レンズの無限遠合焦状態におけるレンズ構成を示す断面図である。
【図４】（ａ）、（ｂ）はそれぞれ、第２実施例に係る広角レンズの無限遠合焦状態、近距離合焦状態における諸収差を示す図である。
【図５】第３実施例に係る広角レンズの無限遠合焦状態におけるレンズ構成を示す断面図である。
【図６】（ａ）、（ｂ）はそれぞれ、第３実施例に係る広角レンズの無限遠合焦状態、近距離合焦状態における諸収差を示す図である。
【図７】第４実施例に係る広角レンズの無限遠合焦状態におけるレンズ構成を示す断面図である。
【図８】（ａ）、（ｂ）はそれぞれ、第４実施例に係る広角レンズの無限遠合焦状態、近距離合焦状態における諸収差を示す図である。
【図９】第１実施例に係る広角レンズを備えた撮像装置（カメラ）の構成を示す図である。
【図１０】実施の形態に係る広角レンズの製造工程を示す図である。
【発明を実施するための形態】
【００１０】
以下、本発明の実施形態に係る広角レンズについて説明する。なお、以下の実施形態は、発明の理解を容易にするためのものに過ぎず、本発明の技術的思想を逸脱しない範囲において当業者により実施可能な付加・置換等を施すことを排除することは意図していない。
【００１１】
本実施形態に係る広角レンズは、物体側から順に、負の屈折力を有する第１レンズ群と、正の屈折力を有する第２レンズ群と、正の屈折力を有する第３レンズ群とを有し、第２レンズ群を像面側に移動させることにより無限遠物点から近距離物点への合焦を行う。
【００１２】
従来の広角レンズの合焦方式では、全体繰り出し方式、リアフォーカス方式が主流で、内焦方式のものは稀であった。本広角レンズは、第２レンズ群を像面側に移動させることにより無限遠物点から近距離物点への合焦を行うことで、無限遠物点から近距離物点への合焦時における諸収差変動、特に像面湾曲、コマ収差の収差変動を少なくすることを実現した。
【００１３】
また、本広角レンズは、以下の条件式（１）を満足することが望ましい。
（１）    ４．５０  ＜  Ｆ２／Ｆ０  ＜  １５．００
ただし、Ｆ２は無限遠合焦時における第２レンズ群の焦点距離、Ｆ０は無限遠合焦時における広角レンズの全系の焦点距離をそれぞれ示す。
【００１４】
条件式（１）は、第２レンズ群の焦点距離（屈折力）の適切な範囲を規定する条件式である。条件式（１）を満足することにより、小型で高い結像性能を有する広角レンズを達成することができる。
【００１５】
条件式（１）の上限値を上回る場合、第２レンズ群の屈折力が小さくなり、合焦時における第２レンズ群の移動量が大きくなる。その結果、第２レンズ群が移動するための大きなスペースの確保が必要になり、広角レンズが大型化する。また、無限遠物点から近距離物点への合焦時における諸収差変動、特に像面湾曲、球面収差、コマ収差の収差変動が大きくなる。
【００１６】
なお、条件式（１）の上限値を１４．００にすることにより諸収差の補正を良好に行うことができる。また、条件式（１）の上限値を１２．００にすることにより諸収差の補正をより良好に行うことができる。また、条件式（１）の上限値を１０．００にすることにより諸収差の補正をさらに良好に行うことができ、本発明の効果を最大限に発揮することができる。
【００１７】
条件式（１）の下限値を下回る場合、第２レンズ群の屈折力が著しく大きくなる。第２レンズ群の屈折力が著しく大きくなると、合焦時における第２レンズ群の移動量は小さくなるが、無限遠物点から近距離物点への合焦時における諸収差変動、特に像面湾曲、非点収差、コマ収差の収差変動が大きくなる。
【００１８】
なお、条件式（１）の下限値を５．００にすることにより、諸収差の補正を良好に行うことができる。また、条件式（１）の下限値を５．５０にすることにより諸収差の補正をより良好に行うことができる。また、条件式（１）の下限値を６．００にすることにより諸収差の補正をさらに良好に行うことができ、本発明の効果を最大限に発揮するもことができる。
【００１９】
また、本広角レンズは、以下の条件式（２）を満足することが望ましい。
（２）    １．０５  ＜  Ｍ２  ＜  ５．００
ただし、Ｍ２は無限遠合焦時における第２レンズ群の横倍率を示す。
【００２０】
条件式（２）は、合焦群である第２レンズ群の無限遠合焦における横倍率の適切な範囲を規定する条件式である。条件式（２）を満足することにより、小型で高い結像性能を有する広角レンズを達成することができる。合焦群である第２レンズ群の無限遠合焦時における横倍率を適切な範囲にすることは、第２レンズ群の移動量を適切にし、収差変動を少なくするために重要である。
【００２１】
条件式（２）の上限値を上回る場合、第２レンズ群の横倍率が高くなり、その結果第２レンズ群の屈折力を大きくしなければならず、無限遠物点から近距離物点への合焦時における諸収差変動、特に像面湾曲、非点収差、コマ収差の収差変動が大きくなる。
【００２２】
なお、条件式（２）の上限値を４．５０にすることにより、像面湾曲、非点収差、コマ収差の補正を良好に行うことができる。また、条件式（２）の上限値を４．００にすることにより、これらの補正をより良好に行うことができる。また、条件式（２）の上限値を３．８０にすることにより、これらの補正をさらに良好に行うことができる。また、条件式（２）の上限値を３．５０にすることにより、これらの補正をさらに良好に行うことができ、本発明の効果を最大限に発揮することができる。
【００２３】
条件式（２）の下限値を下回る場合、第２レンズ群の横倍率が低くなり、第２レンズ群の屈折力が小さくなる。このため合焦時における第２レンズ群の移動量が大きくなり、第２レンズ群が移動するための大きなスペースの確保が必要になり、広角レンズが大型化する。また、無限遠物点から近距離物点への合焦時における諸収差変動、特に像面湾曲、球面収差、コマ収差の収差変動が大きくなる。
【００２４】
なお条件式（２）の下限値を１．２０にすることにより、コマ収差等の諸収差の補正を良好に行うことができる。また、条件式（２）の下限値を１．５０にすることにより、コマ収差等の諸収差の補正をより良好に行うことができる。また、条件式（２）の下限値を１．６０にすることにより、コマ収差等の諸収差の補正をさらに良好に行うことができる。また、条件式（２）の下限値を１．８０にすることにより、コマ収差等の諸収差の補正をさらに良好に行うことができ、本発明の効果を最大限に発揮することができる。
【００２５】
また、本広角レンズは、以下の条件式（３）を満足することが望ましい。
（３）  ０．２０  ＜  （−Ｆ１）／  Ｆ０  ＜  ３．００
だたし、Ｆ１は無限遠合焦時における第１レンズ群の焦点距離、Ｆ０は無限遠合焦時における広角レンズの焦点距離をそれぞれ示す。
【００２６】
条件式（３）は、第１レンズ群の焦点距離（屈折力）の適切な範囲を規定する条件式である。条件式（３）を満足することにより、バックフォーカスを確保しつつも小型で高い結像性能を有する広角レンズを達成することができる。
【００２７】
条件式（３）の上限値を上回る場合、第１レンズ群の焦点距離が長くなり、第１レンズ群の屈折力が小さくなる。その結果、レトロ比が小さくなり、バックフォーカスの確保が困難になる。ここで、「レトロ比」とは、バックフォーカスＢＦに対する全系の焦点距離Ｆ０の比率すなわちＦ０／ＢＦを示す。また、前玉径が大径化し、広角レンズが大型化する。この状態で無理にバックフォーカスの確保や小型化を行うと、コマ収差等の軸外収差が悪化する。
【００２８】
なお、条件式（３）の上限値を２．５０にすることにより、諸収差の補正を良好に行うことができる。また、条件式（３）の上限値を２．００にすることにより、諸収差の補正をより良好に行うことができる。また、条件式（３）の上限値を１．８０にすることにより、諸収差の補正をさらに良好に行うことができ、本発明の効果を最大限に発揮することができる。
【００２９】
条件式（３）の下限値を下回る場合、第１レンズ群の焦点距離が短くなり、第１レンズ群の屈折力が大きくなる。第１レンズ群が著しく大きい屈折力を有すると、歪曲収差、像面湾曲、コマ収差が悪化する。
【００３０】
なお、条件式（３）の下限値を０．５０にすることにより、諸収差の補正を良好に行うことができる。また、条件式（３）の下限値を０．６０にすることにより、諸収差の補正をより良好に行うことができる。また、条件式（３）の下限値を０．８０にすることにより、諸収差の補正をさらに良好に行うことができ、本発明の効果を最大限に発揮することができる。
【００３１】
また、本広角レンズは、以下の条件式（４）を満足することが望ましい。
（４）    １．００  ＜  Ｆ３／Ｆ０  ＜  １０．００
ただし、Ｆ３は無限遠合焦時における第３レンズ群の焦点距離、Ｆ０は無限遠合焦時における広角レンズの焦点距離をそれぞれ示す。
【００３２】
条件式（４）は、第３レンズ群の焦点距離（屈折力）の適切な範囲を規定する条件式である。条件式（４）を満足することにより、小型で高い結像性能を有する広角レンズを達成することができる。
【００３３】
条件式（４）の上限値を上回る場合、第３レンズ群の焦点距離が長くなり、第３レンズ群の屈折力が小さくなる。その結果、球面収差、像面湾曲が悪化する。
【００３４】
なお、条件式（４）の上限値を８．００にすることにより、小型化と諸収差の補正を良好に行うことができる。また、条件式（４）の上限値を７．００にすることにより、小型化と諸収差の補正をより良好に行うことができる。また、条件式（４）の上限値を５．００にすることにより、小型化と諸収差の補正をさらに良好に行うことができ、本発明の効果を最大限に発揮することができる。
【００３５】
条件式（４）の下限値を下回る場合、第３レンズ群の焦点距離が短くなり、第３レンズ群の屈折力が大きくなる。その結果、像面湾曲、非点収差、歪曲収差が悪化する。
【００３６】
なお、条件式（４）の下限値を１．５０にすることにより、諸収差の補正を良好に行うことができる。また、条件式（４）の下限値を２．００にすることにより、諸収差の補正をより良好に行うことができる。また、条件式（４）の下限値を２．５０にすることにより、諸収差の補正をさらに良好に行うことができ、本発明の効果を最大限に発揮することができる。
【００３７】
また、本広角レンズは、無限遠物点から近距離物点への合焦時に、第３レンズ群が固定されていることが望ましい。このような構成により、合焦時に全てのレンズ群を移動させる場合に比べてレンズ群の移動機構を簡素化することができる。また、径が大きく重い第１レンズ群で合焦する場合に比べて合焦群を軽くすることができ、合焦を素早く行うことができる。      
【００３８】
また、本広角レンズは、無限遠物点から近距離物点への合焦時に、第１レンズ群が固定されていることが望ましい。このような構成により、合焦時に全てのレンズ群を移動させる場合に比べてレンズ群の移動機構を簡素化することができる。また、径が大きく重い第１レンズ群で合焦する場合に比べて合焦群を軽くすることができ、合焦を素早く行うことができる。
【００３９】
また、本広角レンズは、第１レンズ群が少なくとも１枚の非球面負メニスカスレンズを有し、当該非球面負メニスカスレンズは、レンズ中心部から周辺部に向かうにつれて負の屈折力が小さくなる形状を有することが望ましい。
【００４０】
第１レンズ群が非球面負メニスカスレンズを少なくとも１枚有し、この非球面負メニスカスレンズは、レンズ中心部から周辺部に向かうにつれて負の屈折力が小さくなる形状を有することで、大画角化を達成するとともに、像面湾曲、歪曲収差、コマ収差の補正を良好に行うことができる。
【００４１】
また、本広角レンズは、以下の条件式（５）を満足することが望ましい。
（５）    ０．３０  ＜  ｜Ｒａｓｐ｜  ／  ｈａｓｐ  ＜  ０．９０
ただし、Ｒａｓｐはレンズ中心部から周辺部に向かうにつれて負の屈折力が小さくなる形状を有する非球面負メニスカスレンズの非球面の近軸曲率半径、ｈａｓｐはレンズ中心部から周辺部に向かうにつれて負の屈折力が小さくなる形状を有する非球面負メニスカスレンズの有効径の１／２（最大有効半径）をそれぞれ示す。
【００４２】
条件式（５）は、レンズ中心部から周辺部に向かうにつれて負の屈折力が小さくなる形状を有する非球面負メニスカスレンズの非球面量の大小に関する条件式である。条件式（５）を満足することにより、小型で大画角を有しつつ高い結像性能を有する広角レンズを達成することができる。なお、「非球面量」とは、非球面の球面からの変位量を示す。
【００４３】
非球面の近軸曲率半径（｜Ｒａｓｐ｜）を、非球面負メニスカスレンズの有効径の１／２の値（ｈａｓｐ）で割った値が１．００を下回る場合、球面は半球を超えることとなるが、非球面レンズの場合、この値が小さいほど、非球面量が大きくなることを示す。
【００４４】
本広角レンズでは、第１レンズ群に、非球面量の非常に大きな非球面負メニスカスレンズを少なくとも１枚有し、この非球面負メニスカスレンズによって諸収差の補正を行うことで、大画角化と小型化を達成するとともに、諸収差の補正、特に非点収差、像面湾曲、コマ収差、歪曲収差の補正を良好に行う構成としている。したがって、非球面の近軸曲率半径（｜Ｒａｓｐ｜）を、非球面負メニスカスレンズの有効径の１／２の値（ｈａｓｐ）で割った値の適切な範囲を規定することは、小型で大画角を有する広角レンズを実現するために重要である。
【００４５】
条件式（５）の上限値を上回る場合、非球面量が比較的小さい形状から、ついには球面は半球を超えない形状となり、非球面量が小さくなる。その結果、本広角レンズの場合、収差補正に必要な非球面量に満たないことになり、諸収差の補正、特に像面湾曲、非点収差、コマ収差の補正が困難になる。
【００４６】
なお、条件式（５）の上限値を０．８０にすることにより、諸収差の補正を良好に行うことができる。また、条件式（５）の上限値を０．７３にすることにより、諸収差の補正をより良好に行うことができる。また、条件式（５）の上限値を０．７０にすることにより諸収差の補正をさらに良好に行うことができ、本発明の効果を最大限に発揮することができる。
【００４７】
条件式（５）の下限値を下回る場合、非球面負メニスカスレンズの非球面量が著しく大きくなり、非球面の製造が困難になる。また、歪曲収差の曲がりが著しく大きくなる。なお、「曲がり」とは、像高の違いによる収差値の差を示す。
【００４８】
なお、条件式（５）の下限値を０．３５にすることにより、歪曲収差の曲がりを良好に抑制でき、非球面の製造困難性を招来することもない。また、条件式（５）の下限値を０．４０にすることにより、本発明の効果を発揮することができる。また、条件式（５）の下限値を０．５０にすることにより、本発明の効果を最大限に発揮することができる。
【００４９】
また、本広角レンズは、第２レンズ群が、正レンズと負レンズと正レンズとの接合よりなる接合レンズを有することが望ましい。このような構成により、倍率色収差、像面湾曲、コマ収差の補正を良好に行うことができる。
【００５０】
また、本広角レンズは、以下の条件式（６）を満足することが望ましい。
（６）  −１．００  ＜  （Ｒｒ＋Ｒｆ）  ／  （Ｒｒ−Ｒｆ）  ＜  ０．００  
ただし、Ｒｒは第２レンズ群の接合レンズ中の負レンズの像側レンズ面の曲率半径、Ｒｆは第２レンズ群の接合レンズ中の負レンズの物体側レンズ面の曲率半径をそれぞれ示す。
【００５１】
条件式（６）は、第２レンズ群の接合レンズ中の負レンズの形状因子（ｑファクター）の適切な範囲を規定する条件式である。条件式（６）を満足することにより、バックフォーカスを十分に確保しつつ高い結像性能を有する広角レンズを達成することができる。
【００５２】
負レンズの場合、形状因子が−１．００の値をとると、物体側レンズ面が平面の平凹レンズであり、形状因子が０．００の値をとると、物体側レンズ面と像側レンズ面の曲率半径の絶対値が等しい、両凹形状の負レンズ（いわゆる等ｒ）であることを示す。したがって、本広角レンズでは、接合レンズ中の負レンズは、その物体側レンズ面の曲率半径の絶対値が、像側レンズ面の曲率半径の絶対値より必ず大きい両凹形状の負レンズとなる。このような負レンズを有する接合レンズは、諸収差の補正、特にコマ収差、像面湾曲、倍率色収差の補正を良好に行う働きを有し、この負レンズにより、主点を像側に位置させることができる。その結果、接合レンズによるこれらの効果と、第１レンズ群中の負レンズによる効果とにより、本広角レンズは、非常に大きいレトロ比を実現し、十分なバックフォーカスを確保している。
【００５３】
条件式（６）の上限値を上回る場合、像側のレンズ面の曲率半径の絶対値よりも物体側レンズ面の曲率半径の絶対値が小さい両凹形状の負レンズとなるが、このような形状の負レンズでは、主点を像側に位置させることができなくなる。また、コマ収差、像面湾曲、倍率色収差の曲がりが悪化するため、大画角化が達成できなくなる。
【００５４】
なお、条件式（６）の上限値を−０．０１にすることにより、コマ収差等の諸収差の補正を良好に行うことができる。また、条件式（６）の上限値を−０．０５にすることによりコマ収差等の諸収差の補正をより良好に行うことができる。また、条件式（６）の上限値を−０．１１にすることによりコマ収差等の諸収差の補正をさらに良好に行うことができる。また、条件式（６）上限値を−０．１５にすることにより、コマ収差等の諸収差の補正をさらに良好に行うことができ、本発明の効果を最大限に発揮することができる。
【００５５】
条件式（６）の下限値を下回る場合、負レンズの物体側レンズ面が平面の平凹レンズとなり、さらに下回ると、負レンズの物体側レンズ面は物体側に凸面を向けたメニスカス形状となる。物体側のレンズ面が凸面になると、接合レンズ中の負レンズの物体側の接合面の収差補正効果が不十分となり、諸収差、特にコマ収差、倍率色収差、球面収差が悪化する。
【００５６】
なお、条件式（６）の下限値を−０．９０にすることによりコマ収差等の諸収差の補正を良好に行うことができる。また、条件式（６）の下限値を−０．８０にすることによりコマ収差等の諸収差の補正をより良好に行うことができる。また、条件式（６）の下限値を−０．７０にすることにより、コマ収差等の諸収差の補正をさらに良好に行うことができ、本発明の効果を最大限に発揮することができる。  
【００５７】
また、本広角レンズは、前記第１レンズ群が前記非球面負メニスカスレンズとは別に非球面レンズを有することが望ましい。このような構成により、軸外収差の補正、特に歪曲収差、像面湾曲、コマ収差の補正を良好に行うことができる。
【００５８】
また、本広角レンズでは、前記非球面レンズは、レンズ中心部よりも周辺部において負の屈折力が大きいことが望ましい。このような非球面レンズと、前述の非球面負メニスカスレンズ（レンズ中心部から周辺部に向かうにつれて負の屈折力が小さくなる非球面負メニスカスレンズ）は逆の非球面効果を有するため、これらを組み合わせることで、本広角レンズは、大画角を有しつつも像面湾曲、非点収差、コマ収差の補正を良好に行うことができる。なお、レンズ中心部よりも負の屈折力が大きくなるのは最周辺部であることがより望ましい。
【００５９】
また、本広角レンズは、第１レンズ群が負レンズのみからなることが望ましい。このような構成により、前玉径を小径化することができる。また、歪曲収差の曲がりを抑制することができる。
【００６０】
以下、本実施形態に係る広角レンズの各数値実施例について添付図面に基づいて説明する。
【００６１】
（第１実施例）
図１は、第１実施例に係る広角レンズのレンズ構成を示す断面図である。
【００６２】
第１実施例に係る広角レンズは、物体側から順に、負の屈折力を有する第１レンズ群Ｇ１と、正の屈折力を有する第２レンズ群Ｇ２と、正の屈折力を有する第３レンズ群Ｇ３とから構成され、無限遠物点から近距離物点への合焦の際、第２レンズ群Ｇ２を像面Ｉ側に移動する構成である。
【００６３】
第１レンズ群Ｇ１は、物体側から順に、物体側に凸面を向けた負メニスカスレンズＬ１１と、物体側に凸面を向け像側の面に非球面量が大きい非球面を設けた負メニスカスレンズＬ１２と、物体側に凸面を向け像側の面に非球面を設けた負メニスカスレンズＬ１３とから構成されている。また、負メニスカスレンズＬ１３は、ガラスレンズと樹脂との複合よりなる複合型非球面レンズで構成されている。
【００６４】
第２レンズ群Ｇ２は、物体側から順に、両凸形状の正レンズＬ２１と両凹形状の負レンズＬ２２と両凸形状の正レンズＬ２３との接合よりなる接合正レンズと、両凸形状の正レンズＬ２４と両凹形状の負レンズＬ２５との接合よりなる接合負レンズと、両凸形状の正レンズＬ２６と、開口絞りＳと、両凸形状の正レンズＬ２７と両凹形状の負レンズＬ２８との接合よりなる接合負レンズとから構成されている。
【００６５】
第３レンズ群Ｇ３は、物体側から順に、両凸形状の正レンズＬ３１と、両凹形状の負レンズＬ３２と両凸形状の正レンズＬ３３との接合よりなる接合負レンズと、両凸形状の正レンズＬ３４と像側に凸面を向けた負メニスカスレンズＬ３５との接合よりなる接合正レンズとから構成されている。
【００６６】
以下の表１に第１実施例に係る広角レンズの諸元値を示す。
【００６７】
表中の（面データ）において、物面は物体面、面番号は物体側から数えたレンズ面の番号、ｒはレンズ面の曲率半径、ｄはレンズ面間隔、ｎｄはｄ線（波長λ＝５８７．６ｎｍ）に対する屈折率、νｄはｄ線（波長λ＝５８７．６ｎｍ）に対するアッベ数、（可変）は合焦における可変面間隔、（絞り）は開口絞りＳ、像面は像面Ｉをそれぞれ表している。なお、空気の屈折率をｎｄ＝１．００００００と記載している。また、曲率半径ｒ欄の「∞」は平面を示している。また、レンズ面が非球面である場合には面番号に＊印を付して曲率半径の欄には近軸曲率半径を示している。
【００６８】
（非球面データ）には、（面データ）に示した非球面について、その形状を次式で表した場合の非球面係数を示す。
Ｘ（ｙ）＝（ｙ２／ｒ）／[１＋[１−κ（ｙ２／ｒ２）]１／２] 
＋Ａ４×ｙ４＋Ａ６×ｙ６＋Ａ８×ｙ８＋Ａ１０×ｙ１０
＋Ａ１２×ｙ１２＋Ａ１４×ｙ１４＋Ａ１６×ｙ１６＋Ａ１８×ｙ18
【００６９】
ここで、光軸に垂直な方向の高さをｙ、高さｙにおける光軸方向の変位量（サグ量）をＸ（ｙ）、基準球面の曲率半径（近軸曲率半径）をｒ、円錐係数をκ、ｎ次の非球面係数をＡｎとする。なお、「E-n」は「×10-n」を示し、例えば「1.234E-05」は「1.234×10-5」を示す。
【００７０】
（各種データ）において、Ｆ０は焦点距離、ＦＮＯはＦナンバー、ωは半画角（単位：°）、Ｙは像高、ＴＬはレンズ系の全長、ＢＦはバックフォーカス、ｈａｓｐはレンズ中心部から周辺部に向かうにつれて負の屈折力が小さくなる形状を有する非球面負メニスカスレンズの有効径の１／２（最大有効半径）をそれぞれ表している。
【００７１】
（可変面間隔データ）は、各合焦位置における撮影倍率、物面までの距離、可変面間隔をそれぞれ示す。ｄｉは面番号ｉでの可変面間隔値をそれぞれ表している。
【００７２】
（レンズ群データ）は、各レンズ群の始面番号と、各レンズ群の焦点距離をそれぞれ示す。
【００７３】
（条件式対応値）は、各条件式の対応値をそれぞれ示す。
【００７４】
なお、以下の全ての諸元値において、掲載されている焦点距離ｆ、曲率半径ｒ、面間隔ｄその他の長さ等は、特記の無い場合一般に「ｍｍ」が使われるが、光学系は比例拡大または比例縮小しても同等の光学性能が得られるので、これらに限られるものではない。また、単位は「ｍｍ」に限定されること無く他の適当な単位を用いることもできる。さらに、これらの記号は、以降の他の実施例においても同様とし説明を省略する。
【００７５】
（表１）第１実施例
（面データ）
面番号               r         d       nd        νd
物面                ∞        ∞
1)              45.7401    4.0000  1.816000   46.63
2)              25.2008    6.3000  1.000000
3)              29.6192    3.5000  1.729030   54.04
4)*              9.8609   15.8500  1.000000
5)             268.5786    2.0000  1.497820   82.56
6)              40.0000    0.5000  1.553890   38.09
7)*             60.1438    (可変)  1.000000
8)              68.2903    8.0000  1.717360   29.52
9)             -19.2174    1.5000  1.816000   46.63
10)               9.3868   10.7000  1.620040   36.30
11)             -41.7857    0.8000  1.000000
12)             544.7219    2.5000  1.516800   64.12
13)             -10.6804    1.0000  1.755000   52.29
14)             222.2112    0.1000  1.000000
15)              27.5945    4.4500  1.518230   58.89
16)             -14.8195    0.5000  1.000000
17>  (絞り)        ∞       1.5000  1.000000
18)             103.3517    2.5000  1.518230   58.89
19)             -11.1953    0.8000  1.772500   49.61
20)             158.8896    (可変)  1.000000
21)             294.6507    3.0000  1.516800   64.12
22)             -19.8308    0.1000  1.000000 
23)             -77.6423    1.0000  1.834810   42.72
24)              23.3310    5.5000  1.497820   82.52
25)             -23.1555    0.1000  1.000000
26)             105.9939    7.5000  1.497820   82.52
27)             -15.3452    1.0000  1.772500   49.61
28)             -38.2138     (BF)   1.000000
像面               ∞  
（非球面データ）
第４面
κ＝   0.1702
A4＝  -6.10260E-06      
A6＝   4.11540E-08 
A8＝  -7.60980E-11
A10＝ -1.60030E-13
A12＝  0.38466E-16 
A14＝  0.70126E-18
A16＝ -0.14581E-19
A18＝ -0.21704E-22
第７面
κ＝  -8.2417
A4＝   2.30890E-05    
A6＝  -5.01740E-08 
A8＝   4.68910E-11 
A10＝  6.36740E-13 
A12＝  0.19663E-14
A14＝ -0.23616E-16 
A16＝ -0.27489E-19
A18＝  0.47622E-21
（各種データ）
F0  ＝  10.30
FNO ＝   4.05
ω  ＝  64.82°
Y   ＝  21.60
TL  ＝ 132.46
BF  ＝  38.10
hasp＝  16.65
（可変面間隔データ）
無限遠     近距離１    近距離２
倍率      0.00000    -0.02500     -0.1000
物面        ∞      388.3787      79.2347
d7:      6.16247     6.67277      8.18564
d20:      3.50000     2.98970      1.47683
（レンズ群データ）
群        始面        焦点距離
G1          1        -13.21051
G2          8         85.16054
G3         21         33.22951
（条件式対応値）
（１）：  Ｆ２／Ｆ０       ＝    8.268
（２）：  Ｍ２             ＝    2.406
（３）：（−Ｆ１）／Ｆ０   ＝    1.283
（４）：  Ｆ３／Ｆ０       ＝    3.226
（５）：｜Ｒａｓｐ｜／ｈａｓｐ     ＝  0.592
（６）：(Ｒｒ＋Ｒｆ)／(Ｒｒ−Ｒｆ) ＝ -0.344
【００７６】
図２（ａ）、（ｂ）はそれぞれ、第１実施例に係る広角レンズの無限遠合焦時の諸収差図、第１実施例に係る広角レンズの近距離合焦撮影時（β＝−０．０２５倍）の諸収差図を示す。
【００７７】
各諸収差図において、ＦＮＯはＦナンバー、ＮＡは開口数、Ｙは像高、ｄはｄ線（波長λ＝５８７．６ｎｍ）、およびｇはｇ線（波長λ＝４３５．８ｎｍ）をそれぞれ示す。また非点収差において、実線はサジタル像面、点線はメリジオナル像面を示す。コマ収差における実線はメリジオナルコマ収差を示す。なお、以下に示す他の実施例の収差図においても、本実施例と同様の符号を用い以後の説明を省略する。
【００７８】
各諸収差図より、第１実施例に係る広角レンズは諸収差が良好に補正され優れた結像性能を有していることがわかる。
【００７９】
（第２実施例）
図３は、第２実施例に係る広角レンズのレンズ構成を示す断面図である。
【００８０】
第２実施例に係る広角レンズは、物体側から順に、負の屈折力を有する第１レンズ群Ｇ１と、正の屈折力を有する第２レンズ群Ｇ２と、正の屈折力を有する第３レンズ群Ｇ３とから構成され、無限遠物点から近距離物点への合焦の際、第２レンズ群Ｇ２を像面Ｉ側に移動する構成である。
【００８１】
第１レンズ群Ｇ１は、物体側から順に、物体側に凸面を向けた負メニスカスレンズＬ１１と、物体側に凸面を向け像側の面に非球面量が大きい非球面を設けた負メニスカスレンズＬ１２と、物体側に凸面を向け像側の面に非球面を設けた負メニスカスレンズＬ１３とから構成されている。また、負メニスカスレンズＬ１３は、ガラスレンズと樹脂との複合よりなる複合型非球面レンズで構成されている。
【００８２】
第２レンズ群Ｇ２は、物体側から順に、両凸形状の正レンズＬ２１と両凹形状の負レンズＬ２２と両凸形状の正レンズＬ２３との接合よりなる接合正レンズと、両凸形状の正レンズＬ２４と両凹形状の負レンズＬ２５との接合よりなる接合負レンズと、両凸形状の正レンズＬ２６と、開口絞りＳと、両凸形状の正レンズＬ２７と両凹形状の負レンズＬ２８との接合よりなる接合負レンズとから構成されている。
【００８３】
第３レンズ群Ｇ３は、物体側から順に、両凸形状の正レンズＬ３１と、両凹形状の負レンズＬ３２と両凸形状の正レンズＬ３３との接合よりなる接合負レンズと、両凸形状の正レンズＬ３４と像側に凸面を向けた負メニスカスレンズＬ３５との接合よりなる接合正レンズとから構成されている。
【００８４】
以下の表２に第２実施例に係る広角レンズの諸元値を示す。
【００８５】
（表２）第２実施例
（面データ）
面番号        r         d         nd       νd 
物面          ∞        ∞
1)        42.3831    4.0000   1.816000   46.63
2)        23.2938    6.3000   1.000000
3)        27.5491    3.5000   1.729030   54.04
4)*        9.7702   14.2885   1.000000
5)       273.4999    2.0000   1.755000   52.29
6)        40.0000    0.5000   1.553890   38.09
7)*       55.6948    (可変)   1.000000
8)        49.1830    7.0000   1.672700   32.11
9)       -16.1713    1.5000   1.816000   46.63
10)         9.7963   10.7268   1.620040   36.30
11)       -36.6819    0.1000   1.000000
12)       533.9192    5.0000   1.516800   64.12
13)       -10.9681    1.0000   1.755000   52.29
14)       233.8827    0.1000   1.000000
15)        26.0608    4.0000   1.517420   52.32
16)       -15.6077    1.0000   1.000000
17>（絞り）  ∞       1.0000   1.000000
18)       103.7491    3.8000   1.516800   64.12
19)       -11.1953    1.0000   1.772500   49.61
20)       171.1107    (可変)   1.000000
21)       204.9527    3.0000   1.516800   64.12
22)       -20.2930    0.1000   1.000000
23)       -82.6214    1.0000   1.834810   42.72
24)        22.2173    5.5000   1.497820   82.52
25)       -24.2790    0.1000   1.000000
26)        84.6349    7.5000   1.497820   82.52
27)       -15.1083    1.0000   1.772500   49.61
28)       -38.2138     (BF)    1.000000
像面            ∞
（非球面データ）
第４面
κ＝   0.1747
A4＝  -5.40210E-06       
A6＝   3.09140E-08 
A8＝  -1.36590E-10 
A10＝ -3.34770E-13
A12＝ -0.37424E-15
A14＝ -0.19508E-18
A16＝ -0.17694E-19
A18＝ -0.21704E-22
第７面
κ＝ -13.1668
A4＝   2.72000E-05    
A6＝  -5.96150E-08 
A8＝  -2.51320E-11 
A10＝  4.73940E-13
A12＝  0.20073E-14
A14＝ -0.18435E-16
A16＝  0.60550E-20
A18＝  0.37962E-21
（各種データ）
F0＝   10.30
FNO＝    4.17
ω＝   64.84°
Y＝   21.60
TL＝  132.78
BF＝   38.10
hasp＝   16.06
（可変面間隔データ）
無限遠     近距離１    近距離２
倍率      0.00000    -0.02500     -0.1000
物面        ∞      388.9734      79.9564
d7:     6.16247     6.52867      7.61717
d20:     3.50000     3.13381      2.04531
（レンズ群データ）
群        始面        焦点距離
G1          1        -11.45313
G2          8         65.78006
G3         21         33.23661
（条件式対応値）
（１）：    Ｆ２／Ｆ０         ＝  6.386
（２）：    Ｍ２               ＝  2.746
（３）：  （−Ｆ１）／Ｆ０     ＝  1.112
（４）：    Ｆ３／Ｆ０         ＝  3.227
（５）：｜Ｒａｓｐ｜／ｈａｓｐ ＝  0.608
（６）：(Ｒｒ＋Ｒｆ)／(Ｒｒ−Ｒｆ) ＝  -0.246
【００８６】
図４（ａ）、（ｂ）はそれぞれ、第２実施例に係る広角レンズの無限遠合焦時の諸収差図、第２実施例に係る広角レンズの近距離合焦撮影時（β＝−０．０２５倍）の諸収差図を示す。
【００８７】
各諸収差図より、第２実施例に係る広角レンズは、諸収差が良好に補正され優れた結像性能を有していることがわかる。
【００８８】
（第３実施例）
図５は、第３実施例に係る広角レンズのレンズ構成を示す断面図である。
【００８９】
第３実施例に係る広角レンズは、物体側から順に、負の屈折力を有する第１レンズ群Ｇ１と、正の屈折力を有する第２レンズ群Ｇ２と、正の屈折力を有する第３レンズ群Ｇ３とから構成され、無限遠物点から近距離物点への合焦の際、第２レンズ群Ｇ２を像面Ｉ側に移動する構成である。
【００９０】
第１レンズ群Ｇ１は、物体側から順に、物体側に凸面を向けた負メニスカスレンズＬ１１と、物体側に凸面を向け像側の面に非球面量が大きい非球面を設けた負メニスカスレンズＬ１２と、物体側に凸面を向け像側の面に非球面を設けた負メニスカスレンズＬ１３とから構成されている。また、負メニスカスレンズＬ１３は、ガラスレンズと樹脂との複合よりなる複合型非球面レンズで構成されている。
【００９１】
第２レンズ群Ｇ２は、物体側から順に、両凸形状の正レンズＬ２１と両凹形状の負レンズＬ２２と両凸形状の正レンズＬ２３との接合よりなる接合負レンズと、両凸形状の正レンズＬ２４と両凹形状の負レンズＬ２５との接合よりなる接合負レンズと、両凸形状の正レンズＬ２６と、開口絞りＳと、両凸形状の正レンズＬ２７と両凹形状の負レンズＬ２８との接合よりなる接合負レンズとから構成されている。
【００９２】
第３レンズ群Ｇ３は、物体側から順に、両凸形状の正レンズＬ３１と、両凹形状の負レンズＬ３２と両凸形状の正レンズＬ３３との接合よりなる接合負レンズと、両凸形状の正レンズＬ３４と像側に凸面を向けた負メニスカスレンズＬ３５との接合よりなる接合正レンズとから構成されている。
【００９３】
以下の表３に第３実施例に係る広角レンズの諸元値を示す。
【００９４】
（表３）第３実施例
（面データ）
面番号        r         d         nd       νd 
物面          ∞        ∞
1)       44.6436    4.0000    1.816000   46.63
2)       24.5842    6.3000    1.000000
3)       28.6538    3.5000    1.729030   54.04
4)*       9.8573   15.5214    1.000000
5)      217.7922    2.0000    1.497820   82.56
6)       40.0000    0.5000    1.553890   38.09
7)*      59.3823    (可変)    1.000000
8)      102.2117    8.0000    1.717360   29.52
9)      -18.6489    1.5000    1.816000   46.63
10)        9.7037   10.7268    1.620040   36.30
11)      -41.1871    0.8000    1.000000
12)      219.6123    2.5000    1.516800   64.12
13)      -10.3986    1.0000    1.755000   52.29
14)      287.5191    0.1000    1.000000
15)       26.0643    4.2519    1.517420   52.32
16)      -15.0566    0.5000    1.000000
17>(絞り)    ∞      1.5000    1.000000
18)      104.6963    2.5000    1.516800   64.12
19)      -11.1953    0.8000    1.772500   49.61
20)      151.7174    (可変)    1.000000
21)      363.5607    3.0000    1.516800   64.12
22)      -19.9340    0.1000    1.000000
23)      -83.9202    1.0000    1.834810   42.72
24)       22.4295    5.5000    1.497820   82.52
25)      -23.3833    0.1000    1.000000
26)       97.1263    7.5000    1.497820   82.52
27)      -14.9813    1.0000    1.772500   49.61
28)      -38.2138     (BF)     1.000000
像面            ∞ 
（非球面データ）
第４面
κ＝   0.1793
A4＝  -6.80270E-06     
A6＝   4.54490E-08 
A8＝  -8.50830E-11 
A10＝ -2.08110E-13
A12＝ -0.99790E-16
A14＝  0.38069E-18
A16＝ -0.16124E-19
A18＝ -0.21704E-22 
第７面
κ＝ -11.5408
A4＝   2.52930E-05 
A6＝  -4.65020E-08  
A8＝   2.28590E-11  
A10＝  5.76360E-13
A12＝  0.22293E-14
A14＝ -0.22264E-16
A16＝ -0.13358E-19
A18＝  0.44629E-21
（各種データ）
F0  ＝  10.31
FNO ＝   4.08
ω  ＝  64.81°
Y   ＝  21.60
TL  ＝ 131.96
BF  ＝  38.10
hasp＝  16.53
（可変面間隔データ）
無限遠     近距離１    近距離２
倍率      0.00000     -0.02500     -0.1000
物面        ∞       388.4553      79.0918
d7 :     6.16247      6.68545      8.23679
d20:     3.49999      2.97701      1.42568
（レンズ群データ）
群        始面        焦点距離
G1          1        -13.45495
G2          8         87.98081
G3         21         33.61072
（条件式対応値）
（１）：   Ｆ２／Ｆ０       ＝    8.542
（２）：   Ｍ２             ＝    2.476
（３）：  （−Ｆ１）／Ｆ０  ＝    1.306
（４）：    Ｆ３／Ｆ０      ＝    3.263
（５）：｜Ｒａｓｐ｜／ｈａｓｐ        ＝  0.596
（６）：（Ｒｒ＋Ｒｆ）／（Ｒｒ−Ｒｆ）＝ -0.316
【００９５】
図６（ａ）、（ｂ）はそれぞれ、第３実施例に係る広角レンズの無限遠合焦時の諸収差図、第３実施例に係る広角レンズの近距離合焦撮影時（β＝−０．０２５倍）の諸収差図を示す。
【００９６】
各諸収差図より、第３実施例に係る広角レンズは諸収差が良好に補正され優れた結像性能を有していることがわかる。
【００９７】
（第４実施例）
図７は、第４実施例に係る広角レンズのレンズ構成を示す断面図である。
【００９８】
第４実施例に係る広角レンズは、物体側から順に、負の屈折力を有する第１レンズ群Ｇ１と、正の屈折力を有する第２レンズ群Ｇ２と、正の屈折力を有する第３レンズ群Ｇ３とから構成され、無限遠物点から近距離物点への合焦の際、第２レンズ群Ｇ２を像面Ｉ側に移動する構成である。
【００９９】
第１レンズ群Ｇ１は、物体側から順に、物体側に凸面を向けた負メニスカスレンズＬ１１と、物体側に凸面を向け像側の面に非球面量が大きい非球面を設けた負メニスカスレンズＬ１２と、物体側に凸面を向け像側の面に非球面を設けた負メニスカスレンズＬ１３とから構成されている。また、負メニスカスレンズＬ１３は、ガラスレンズと樹脂との複合よりなる複合型非球面レンズで構成されている。
【０１００】
第２レンズ群Ｇ２は、物体側から順に、両凸形状の正レンズＬ２１と両凹形状の負レンズＬ２２と両凸形状の正レンズＬ２３との接合よりなる接合負レンズと、両凸形状の正レンズＬ２４と両凹形状の負レンズＬ２５との接合よりなる接合負レンズと、両凸形状の正レンズＬ２６と、開口絞りＳと、両凸形状の正レンズＬ２７と両凹形状の負レンズＬ２８との接合よりなる接合負レンズとから構成されている。
【０１０１】
第３レンズ群Ｇ３は、物体側から順に、両凸形状の正レンズＬ３１と、両凹形状の負レンズＬ３２と両凸形状の正レンズＬ３３との接合よりなる接合負レンズと、両凸形状の正レンズＬ３４と像側に凸面を向けた負メニスカスレンズＬ３５との接合よりなる接合正レンズとから構成されている。
【０１０２】
以下の表４に第４実施例に係る広角レンズの諸元値を示す。
【０１０３】
（表４）第４実施例
面番号        r         d         nd       νd 
物面          ∞        ∞
1)       44.9445    4.0000   1.816000   46.63
2)       24.5235    6.3000   1.000000
3)       28.7434    3.5000   1.729030   54.04
4)*       9.8714   15.4114   1.000000
5)      231.4069    2.0000   1.497820   82.56
6)       40.0000    0.5000   1.553890   38.09
7)*      60.0665    (可変)   1.000000
8)       98.2686   10.5352   1.717360   29.52
9)      -18.6711    1.5000   1.816000   46.63
10)        9.8585   10.7268   1.620040   36.30
11)      -40.7347    0.8000   1.000000
12)      207.9082    2.5000   1.516800   64.12
13)      -10.4484    1.0000   1.755000   52.29
14)      295.6918    0.1000   1.000000
15)       26.0410    3.9573   1.517420   52.32
16)      -15.0155    0.5000   1.000000
17>(絞り)    ∞      1.5000   1.000000
18)      103.2164    2.5000   1.516800   64.12
19)      -11.1953    0.8000   1.772500   49.61
20)      152.2248    (可変)   1.000000
21)      363.4639    3.0000   1.516800   64.12
22)      -20.1239    0.1000   1.000000
23)      -82.7356    1.0000   1.834810   42.72
24)       22.4195    5.5000   1.497820   82.52
25)      -23.7837    0.1000   1.000000
26)      100.4523    7.5000   1.497820   82.52
27)      -14.8661    1.0000   1.772500   49.61
28)      -38.2138     (BF)    1.000000
像面            ∞
（非球面データ）
第４面 
κ＝   0.1802
A4＝  -6.72460E-06 
A6＝   4.64030E-08      
A8＝  -8.21850E-11 
A10＝ -2.00230E-13
A12＝ -0.78932E-16
A14＝  0.43489E-18
A16＝ -0.15997E-19
A18＝ -0.21704E-22
第７面
κ＝ -13.6184
A4＝   2.57130E-05 
A6＝  -4.33760E-08  
A8＝   3.07680E-11  
A10＝  5.96340E-13  
A12＝  0.23702E-14
A14＝ -0.22519E-16
A16＝ -0.18305E-19
A18＝  0.40304E-21
（各種データ）
F0  ＝  10.30
FNO ＝   4.13
ω  ＝  64.85°
Y   ＝  21.60
TL  ＝ 134.09312
BF  ＝  38.10
hasp＝  16.59
（可変面間隔データ）
無限遠     近距離１    近距離２
倍率      0.00000    -0.02500     -0.1000
物面        ∞      387.9653      78.9806
d7 :     6.16247     6.65588      8.12200
d20:     3.50000     3.00659      1.54047
（レンズ群データ）
群        始面        焦点距離
G1          1        -13.39135
G2          8         79.88403
G3         21         34.73300
（条件式対応値）
（１）：   Ｆ２／Ｆ０        ＝    7.756
（２）：   Ｍ２              ＝    2.888
（３）：  （−Ｆ１）／Ｆ０   ＝    1.300
（４）：    Ｆ３／Ｆ０       ＝    3.372
（５）：｜Ｒａｓｐ｜／ｈａｓｐ     ＝    0.595
（６）：(Ｒｒ＋Ｒｆ)／(Ｒｒ−Ｒｆ) ＝   -0.309
【０１０４】
図８（ａ）、（ｂ）はそれぞれ、第４実施例に係る広角レンズの無限遠合焦時の諸収差図、第４実施例に係る広角レンズの近距離合焦撮影時（β＝−０．０２５倍）の諸収差図を示す。
【０１０５】
各諸収差図より、第４実施例に係る広角レンズは諸収差が良好に補正され優れた結像性能を有していることがわかる。
【０１０６】
以上の各実施例によれば、包括角２ω＝１２９．７°を超え、さらにＦ４程度の口径を有し、小型で前玉径が小さく、球面収差、像面湾曲、非点収差、コマ収差が良好に補正され、無限遠物点から近距離物点への合焦時における諸収差変動が少ない広角レンズが実現できる。
【０１０７】
なお、以下の内容は、本願の広角レンズの光学性能を損なわない範囲で適宜採用することが可能である。
【０１０８】
本願の広角レンズの数値実施例として３群構成のものを示したが、本願はこれに限られず、その他の群構成（例えば、４群等）の広角レンズを構成することもできる。具体的には、本願の広角レンズの最も物体側や最も像面側にレンズ又はレンズ群を追加した構成でも構わない。なお、レンズ群とは、空気間隔で分離された、少なくとも１枚のレンズを有する部分を示す。
【０１０９】
また、本願の広角レンズは、無限遠物点から近距離物点への合焦を行うために、レンズ群の一部、１つのレンズ群全体、又は複数のレンズ群を合焦レンズ群として光軸方向へ移動させる構成としてもよい。また、かかる合焦レンズ群は、オートフォーカスに適用することも可能であり、オートフォーカス用のモータ、例えば超音波モータ等による駆動にも適している。特に、本願の広角レンズでは第２レンズ群を合焦レンズ群とすることが好ましい。
【０１１０】
また、本願の広角レンズにおいて、いずれかのレンズ群全体又はその一部を、防振レンズ群として光軸に垂直な成分を含むように移動させ、又は光軸を含む面内方向へ回転移動（揺動）させることで、手ブレによって生じる像ブレを補正する構成とすることもできる。特に、本願の広角レンズでは第３レンズ群の少なくとも一部を防振レンズ群とすることが好ましい。
【０１１１】
また、本願の広角レンズを構成するレンズのレンズ面は、球面又は平面としてもよく、或いは非球面としてもよい。レンズ面が球面又は平面の場合、レンズ加工及び組立調整が容易になり、レンズ加工及び組立調整の誤差による光学性能の劣化を防ぐことができるため好ましい。また、像面がずれた場合でも描写性能の劣化が少ないため好ましい。レンズ面が非球面の場合、研削加工による非球面、ガラスを型で非球面形状に成型したガラスモールド非球面、又はガラス表面に設けた樹脂を非球面形状に形成した複合型非球面のいずれでもよい。また、レンズ面は回折面としてもよく、レンズを屈折率分布型レンズ（ＧＲＩＮレンズ）或いはプラスチックレンズとしてもよい。
【０１１２】
また、本願の広角レンズにおいて開口絞りは第２レンズ群中に配置されることが好ましいが、開口絞りとして部材を設けずにレンズ枠でその役割を代用する構成としてもよい。
【０１１３】
また、本願の広角レンズを構成するレンズのレンズ面に、広い波長域で高い透過率を有する反射防止膜を施してもよい。これにより、フレアやゴーストを軽減し、高コントラストの高い光学性能を達成することができる。
【０１１４】
次に、本願の広角レンズを備えた撮像装置について図面を参照しつつ説明する。図９は、第１実施例に係る広角レンズを備えた撮像装置（カメラ）の構成を示す図である。
【０１１５】
本カメラ１は、図９に示すように撮影レンズ２として上記第１実施例に係る広角レンズを備えたデジタル一眼レフカメラである。
【０１１６】
本カメラ１において、不図示の物体（被写体）からの光は、撮影レンズ２で集光されて、クイックリターンミラー３を介して焦点板４に結像される。そして焦点板４に結像されたこの光は、ペンタプリズム５中で複数回反射されて接眼レンズ６へ導かれる。これにより撮影者は、被写体像を接眼レンズ６を介して正立像として観察することができる。
【０１１７】
また、撮影者によって不図示のレリーズボタンが押されると、クイックリターンミラー３が光路外へ退避し、撮影レンズ２で集光された不図示の被写体からの光は撮像素子７上に被写体像を形成する。これにより被写体からの光は、当該撮像素子７により撮像され、被写体画像として不図示のメモリに記録される。このようにして、撮影者は本カメラ１による被写体の撮影を行うことができる。
【０１１８】
ここで、本カメラ１に撮影レンズ２として搭載した上記第１実施例に係る広角レンズは、上記第１実施例において説明したように、その特徴的なレンズ構成によって、像面湾曲、非点収差、コマ収差が少なく、大画角を有する広角レンズを実現している。これにより本カメラ１は、像面湾曲、非点収差、コマ収差が少なく、大画角を有し広角撮影可能な薄型撮像装置を実現することができる。
【０１１９】
なお、上記実施例では第１実施例に係る広角レンズを撮影レンズ２として搭載してカメラ１を構成した例を示したが、上記第１実施例以外の実施例に係る広角レンズを搭載しても上記カメラ１と同様の効果を奏することは言うまでもない。  
【０１２０】
以下、本願の広角レンズの製造方法の概略を図１０に基づいて説明する。図１０は、本願の広角レンズの製造方法を示す図である。  
【０１２１】
本願の広角レンズの製造方法は、物体側から順に、負の屈折力を有する第１レンズ群と、正の屈折力を有する第２レンズ群と、正の屈折力を有する第３レンズ群とを有する広角レンズの製造方法であって、図１０に示す各ステップＳ１，２を含むものである。
【０１２２】
ステップＳ１：
ステップＳ１は、鏡筒に、物体側から順に、負の屈折力を有する第１レンズ群と、正の屈折力を有する第２レンズ群と、正の屈折力を有する第３レンズ群とを含む光学部材を配置する。
【０１２３】
ステップＳ２：
ステップＳ２は、無限遠物点から近距離物点への合焦を行う際に、前記第２レンズ群を像面側に移動させる機構を配置する。
【０１２４】
かかる本願の広角レンズの製造方法によれば、大画角を有し良好な光学性能を備えた広角レンズを製造することができる。
【０１２５】
なお、上記各実施例は本発明の一具体例を示しているものであり、本発明はこれらに限定されるものではない。
【符号の説明】
【０１２６】
Ｇ１：  第１レンズ群
Ｇ２：  第２レンズ群
Ｇ３：  第３レンズ群
Ｓ：    開口絞り
Ｉ：    像面
１：    カメラ
２：    撮影レンズ
３：    クイックリターンミラー
４：    焦点板
５：    ペンタプリズム
６：    接眼レンズ
７：    撮像素子
【図１】
0005445040.tif 000002
【図２】
0005445040.tif 000003
【図３】
0005445040.tif 000004
【図４】
0005445040.tif 000005
【図５】
0005445040.tif 000006
【図６】
0005445040.tif 000007
【図７】
0005445040.tif 000008
【図８】
0005445040.tif 000009
【図９】
0005445040.tif 000010
【図１０】
0005445040.tif 000011